(57)【要約】【課題】  記録再生装置のヘッドの振動を抑制することでヘッドの位置決め精度を高め記録媒体への記録再生精度を向上させる。【解決手段】  記録再生装置１は回転自在な回転部５を備えている。前記回転部５の周面に、コイル２１と、アーム９とを有している。そして、前記コイル２１は本体３側に配置されたマグネット２５と協働し前記回転部５を回転制御させ、前記アーム９の先端部（サスペンション）１３に固定されたヘッド１５を記憶媒体２７にアクセスさせる。一方、前記コイル２１は、所定の振動を抑制する振動抑制部材２１ａを有しコイル２１の振動を抑制する。【選択図】図１
2005293634.tif 000002
【特許請求の範囲】
【請求項１】
回転自在な回転部の周面に、コイルと、アームとを有し、前記コイルは本体側に配置されたマグネットと協働し前記回転部を回転制御させ、前記アームの先端部に固定されたヘッドを記憶媒体にアクセスさせる記録再生装置のアクチュエータ用コイルにおいて、
前記コイルは、所定の振動を抑制する振動抑制部材を有することを特徴とする記録再生装置のアクチュエータ用コイル。
【請求項２】
前記振動抑制部材は粘弾性樹脂と拘束層からなり前記拘束層は非磁性体であることを特徴とする請求項１記載の記録再生装置のアクチュエータ用コイル。
【請求項３】
回転自在な回転部の周面に、コイルと、アームとを有し、前記コイルは本体側に配置されたマグネットと協働し前記回転部を回転制御させ、前記アームの先端部に固定されたヘッドを記憶媒体にアクセスさせる記録再生装置において、
前記コイルは、所定の振動を抑制する振動抑制部材を有することを特徴とする記録再生装置。
【請求項４】
前記振動抑制部材は本体側に対向して配置されたマグネットが生成する磁界の領域から少しでも離れたコイル上の位置に配置され前記磁界を擾乱させないことを特徴とする請求項３記載の記録再生装置。
【請求項５】
前記振動抑制部材は粘弾性樹脂と拘束層からなり前記拘束層は非磁性体であることを特徴とする請求項３又は４記載の記録再生装置。
【発明の詳細な説明】
【技術分野】
【０００１】
本発明は、記録再生装置のアクチュエータ用コイル及び記録再生装置に係り、さらに詳細には、記録再生装置の記録媒体に対するアクセス用のヘッドを位置決めするためのロータリ型のアクチュエータの振動を抑制するアクチュエータ用コイル及び記録再生装置に関する。
【背景技術】
【０００２】
従来、記録再生装置のアームやサスペンションに振動抑制部材を付加することで、情報の記録、再生等を阻害するアームの振動を減衰させている。
【０００３】
図７に記録再生装置５１の概略の構造を示す。この記録再生装置５１は本体５３に回転軸５７により回転自在に支持された回転部５５を備えている。そして、この回転部５５は、周面にアーム部５９を有している。このアーム部５９はアーム基部６１とサスペンション６３よりなる。そして、サスペンション６３には記録媒体６７にアクセスするヘッド６５が備えられている。
【０００４】
そして、図８に示すように、アーム基部６１には振動抑制部材６１ａが備えられ振動が抑制されている。また、図９に示すように、サスペンション６３には振動抑制部材６３ａが備えられ振動の抑制を行っている。
【０００５】
この結果、周波数応答は図１０に示すようなグラフになり、グラフＬ４は振動抑制部材を有しない場合でありグラフＬ３は振動抑制部材を有する場合である。このように振動抑制部材によりアーム先端部（サスペンション）の周波数応答は１．７ｋＨｚ付近の共振ゲインが減衰していることがわかる（なお、１．７ｋＨｚ付近の共振ゲインが高いのでこの付近の振動の抑制を行っているものである）。
【０００６】
また、特許文献１参照。
【特許文献１】特開平１０−６４２０８号公報
【発明の開示】
【発明が解決しようとする課題】
【０００７】
このような従来の技術には以下のような問題があった。記録媒体に記録される情報量の増大に伴い記録媒体のトラック幅等が狭くなり、ヘッドの位置決め精度の向上が必要になった。
【０００８】
一方、従来の振動抑制部材はアーム固有（アーム基部，サスペンションを含む）の振動の抑制には有効である。しかしながら、一般に振動は物の大きさ，形状，材質等の条件により固有の振動がある。すなわち、アームの振動には有効であってもコイル固有の振動には効果が無い。そして、コイルの振動がヘッドに及ぼす影響も無視できなくなり情報の記録再生が適正に行われないという問題があった。
【課題を解決するための手段】
【０００９】
本発明は、前述のごとき問題に鑑みてなされたもので、請求項１に係る発明は、回転自在な回転部の周面に、コイルと、アームとを有し、前記コイルは本体側に配置されたマグネットと協働し前記回転部を回転制御させ、前記アームの先端部に固定されたヘッドを記憶媒体にアクセスさせる記録再生装置のアクチュエータ用コイルにおいて、前記コイルは、所定の振動を抑制する振動抑制部材を有する記録再生装置のアクチュエータ用コイルである。
【００１０】
請求項２に係る発明は、前記振動抑制部材は粘弾性樹脂と拘束層からなり前記拘束層は非磁性体である請求項１記載の記録再生装置のアクチュエータ用コイルである。
【００１１】
請求項３に係る発明は、回転自在な回転部の周面に、コイルと、アームとを有し、前記コイルは本体側に配置されたマグネットと協働し前記回転部を回転制御させ、前記アームの先端部に固定されたヘッドを記憶媒体にアクセスさせる記録再生装置において、前記コイルは、所定の振動を抑制する振動抑制部材を有する記録再生装置である。
【００１２】
請求項４に係る発明は、前記振動抑制部材は本体側に対向して配置されたマグネットが生成する磁界の領域から少しでも離れたコイル上の位置に配置され前記磁界を擾乱させない請求項３記載の記録再生装置である。
【００１３】
請求項５に係る発明は、前記振動抑制部材は粘弾性樹脂と拘束層からなり前記拘束層は非磁性体である請求項３又は４記載の記録再生装置である。
【発明の効果】
【００１４】
上述の如く本発明によれば、コイルに振動抑制部材を設けることにより、記録媒体の情報の記録，再生を阻害するコイルの振動を有効に抑制することができるという効果がある。この結果、ヘッドの位置決め精度が高くなるため、より正確に情報の記録，再生ができるという効果がある。
【００１５】
さらに、この振動抑制部材は非磁性体よりなり、さらにマグネットの磁界領域から少しでも離れた位置に備えられるため磁界を擾乱すること無く適正にコイルの振動を抑制することができるという効果がある。
【発明を実施するための最良の形態】
【００１６】
本発明の実施の形態を、図面を参照して説明する。図１は、記録再生装置１の概略の構成を示している。なお、記録再生装置１は記録のみ行う装置，再生のみ行う装置，及び記録、再生を行う装置を含む。
【００１７】
この記録再生装置１は、本体３を備えている。この本体３には図示しないカバーが取り付けられる。一方、前記本体３には、回転軸７により回転自在な回転部５が備えられている。前記回転部５の周面は、コイル２１と、アーム９とを有している。前記コイル２１は接着剤１９によりサーポート部材１７に固定され間接的に前記回転部５に備えられているものである。
【００１８】
前記アーム９はアーム基部１１とサスペンション１３とを有している。そして、前記サスペンション１３には記録媒体２７にアクセスし情報の読み書きを物理的に行うヘッド１５が備えられている。
【００１９】
一方、前記コイル２１は本体３側に固定板２３を介して配置されたマグネット２５ａと、本体３のカバー側（図示しない）に備えられたマグネット２５ｂと協働し前記回転部５の回転制御を行う。すなわち、本体３に固定された一方のマグネット２５ａとカバー側に対向して固定された他方のマグネット２５ｂにより磁界が生成する。この磁界の磁界領域に在るコイル２１に電流が流れアクチュエータとして、前記アーム９の先端部（サスペンション１３）に固定されたヘッド１５の動作を制御し記録媒体２７にアクセスさせる。
【００２０】
そして、前記コイル２１は、所定の振動を抑制する振動抑制部材２１ａ（材料は、例えばＳＵＳと粘着層）を有している。ここで、所定の振動とは、コイル特有の振動をいう。すなわち、物が振動する際、この振動の発振源が存在する。この発振源の周波数の種類，発振の強弱，発振の場所により物の振動が異なる。さらに、物が振動するには、この物の大きさ，形状，材質等の違いによりその振動の種類も異なる。そして、このコイル特有の振動がヘッドの位置決め精度に大きく影響する。換言すれば、この振動以外の振動はヘッドの位置決め精度上無視できる範囲内であることが多い。
【００２１】
本例でコイル２１に固定される振動抑制部材２１ａは、このコイル２１特有の振動を抑制するものである。
【００２２】
さらに、前記振動抑制部材２１ａは粘弾性樹脂と拘束層からなり前記拘束層は非磁性体であってもよい。これにより、この振動抑制部材２１ａはマグネット２５ａとマグネット２５ｂとにより生成される磁界により磁気を帯びないため、上記磁界を擾乱させることがなく、適正なアクチュエータの動作を行うことができる。
【００２３】
また、前記振動抑制部材２１ａは磁界領域の外に配置することが好ましい。上記磁界を擾乱させることがなく、適正なアクチュエータの動作を行うことができるからである。
【００２４】
図２及び図３を参照し詳しく説明する。コイル２１に配置する振動抑制部材２１ａの配置状態を示している。図２に示すように、サポート部材１７に接着剤１９で固定された前記コイル２１は、外形が矩形（例えば、台形）で環状の物であり、コイル長辺部２１ｂ、コイル短辺部２１ｃ、及びコイル側辺部２１ｄ，コイル側辺部２１ｅとを有している。そして、振動抑制部材２１ａは前記コイル長辺部２１ｂの外周に位置する面に固定されている。これにより、特にコイル２１の水平方向の振動を効率良く抑制することができる。
【００２５】
さらに詳細に説明する。図３に示すように、対向する位置に配置されたマグネット２５ａとマグネット２５ｂ（図１の図示参照）とにより生成された磁界は磁界領域ＥＲを形成している。この磁界領域の磁力線の方向は矢印ＡＲの方向である（一方のマグネット側から他方のマグネット側へ磁力線がある場合と、他方のマグネット側から一方のマグネット側へ磁力線がある場合とが想定される）。
【００２６】
そして、前記振動抑制部材２１ａは前記コイル２１の長辺部２１ｂの外周面２１ｂ’に在る。このため前記磁界領域ＥＲの境界から距離Ｄ（Ｄ＞０）離れている。これにより、振動抑制部材２１ａが磁界領域ＥＲの磁気に及ぼす影響を小さくすることができる。
【００２７】
図４を参照する。上述のように、振動抑制部材２１ａが固定されたコイル２１の振動の減衰を示している。グラフＬ２は振動抑制部材２１ａを有しない場合でありグラフＬ１は振動抑制部材２１ａを有する場合である。このように振動抑制部材２１ａによるアーム先端部（サスペンション）１３の周波数応答は１８ｋＨｚ付近の共振ゲインが減衰していることがわかる。なお、アーム先端部１３の１８ｋＨｚの共振はコイルからの共振である。また、１８ｋＨｚ付近の振動ゲインが高いのでこの付近の抑制を特に行っている。
【００２８】
図５を参照する。振動抑制部材をコイル２１の別の位置に配置した場合を示している。ここで、前記振動抑制部材は粘弾性樹脂と拘束層からなり前記拘束層は非磁性体である。なお、粘弾性樹脂は非磁性体であることは勿論である。
【００２９】
このように、振動抑制部材が非磁性体であり磁界に及ぼす影響が少ない場合、磁界領域ＥＲ内に配置してもよい。すなわち、コイルの長辺部２１ｂの内側の面２１ｂ’’に振動抑制部材２１ａ１を固定する。さらに、コイルの側辺部２１ｄの内側の面２１ｄ’’と、これに対向したコイルの側辺部２１ｅの内側の面２１ｅ’’に、それぞれ振動抑制部材２１ａ２と振動抑制部材２１ａ３とを固定する。
【００３０】
これにより、振動を抑制する領域が広くなるので、より適正にコイル２１の振動が抑制される。
【００３１】
図６を参照する。上述と同様に振動抑制部材をコイル２１の別の位置に配置した場合を示している。ここで、前記振動抑制部材は粘弾性樹脂と拘束層からなり前記拘束層は非磁性体である。
【００３２】
コイル２１の環状の面２１’に振動抑制部材２１ａ４を配置する例である。この配置により、コイル２１の全体的な振動を防止することができる。
【００３３】
このように、振動抑制部材をコイルに固定する位置は種々あるが、コイル２１の振動をこのコイル２１の異なる位置毎に振動測定装置により測定し、振動の大きいところに固定することも好ましい。
【００３４】
なお、本発明は、上述した実施の態様の例に限定されることなく、適宜の変更を加えることにより、その他の態様で実施できるものである。
【図面の簡単な説明】
【００３５】
【図１】記録再生装置の概略を示す概略図である。
【図２】コイルを説明する説明図である。
【図３】振動抑制部材を説明する説明図である。
【図４】振動抑制部材の効果を説明する説明図である。
【図５】振動抑制部材の配置を説明する説明図である。
【図６】振動抑制部材の配置を説明する説明図である。
【図７】従来の技術を説明する説明図である。
【図８】従来の技術を説明する説明図である。
【図９】従来の技術を説明する説明図である。
【図１０】従来の技術を説明する説明図である。
【符号の説明】
【００３６】
１  記録再生装置
３  本体
５  回転部
７  回転軸
９  アーム
１１  アーム基部
１１  先端部（サスペンション）
１３  ヘッド
１５  記録媒体
１７  サポート部材
１９  接着剤
２１  コイル
２１ａ  振動抑制部材
【図１】
2005293634.tif 000003
【図２】
2005293634.tif 000004
【図３】
2005293634.tif 000005
【図４】
2005293634.tif 000006
【図５】
2005293634.tif 000007
【図６】
2005293634.tif 000008
【図７】
2005293634.tif 000009
【図８】
2005293634.tif 000010
【図９】
2005293634.tif 000011
【図１０】
2005293634.tif 000012